(57)【特許請求の範囲】
【請求項１】
ティッシュペーパ取り出し穴を有する表面板と、該表面板の裏側に設けられたティッシュボックス収納部とを有し、該ティッシュボックス収納部に収納されたティッシュボックス内のティッシュペーパを前記ティッシュペーパ取り出し穴から取り出すようにしたティッシュボックス収納容器であって、前記表面板は、表面に鏡を着脱自在に装着する装着部を有し、かつ、該表面板の前記ティッシュボックス収納部が設けられていない位置にコップを挿脱自在に挿着可能な開口を有し、うがい後、口元を拭いたティッシュペーパを前記開口に挿着されたコップに廃棄し、拭いた後の口元の清掃状態を前記鏡にて確認するようにしたことを特徴とする歯科用ティッシュボックス収納容器。
【請求項２】
前記開口に挿着されるコップは、紙コップであることを特徴とする請求項１に記載の歯科用ティッシュボックス収納容器。
【請求項３】
前記鏡は磁石によって前記表面板に着脱自在に装着されるものであることを特徴とする請求項１または２に記載の歯科用ティッシュボックス収納容器。
【請求項４】
前記表面板に点滅自在の光源を有することを特徴とする請求項１乃至３のいずれかに記載の歯科用ティッシュボックス収納容器。
【発明の詳細な説明】
【技術分野】
【０００１】
本発明は、ティッシュボックス収納容器、より詳細には、歯科治療において、患者がうがいをした際、うがいした後の口元を拭くためのティッシュペーパを取り出すことができ、拭いた後の口元の清掃状態を確実に確認することができ、更には、口元を拭いた後のティッシュペーパを捨てるためのコップを簡易に着脱することのできるティッシュボックス収納容器に関する。
【背景技術】
【０００２】
歯科治療中に、患者は、時々、うがいをするが、このうがいは、例えば、スピットンの近傍に載置されているコップにうがい水を入れ、このコップ内のうがい水を用いて口腔内をうがいし、うがいした後の水をスピットン内に吐き出すことによって行っている。うがい後、患者は、口元をティッシュペーパ等で拭くが、通常、ティッシュペーパは患者の手の届く範囲になく、アシスタントがティッシュ箱ごと持ってきてくれるのが一般的である。しかし、うがい時、アシスタントが他の仕事に追われ、必ずしも、患者の傍にいてくれるとは限らず、うがいの都度、ティッシュ箱を必ずもってきてくれるとは限らず、また、使用後の汚れたティッシュペーパをアシスタントに始末してもらわなければならず、患者にとっても、アシスタントにとっても、神経を使う割には、非能率的で、面倒くさい作業であった。
【０００３】
図３は、本出願人が先に提案したスピットン装置（特許文献１）の一例を説明するための要部概略構成図で、図中、３はスピットン、４はうがい水を供給し、うがい後の水を排水する給排水ボックスで、給排水ボックス４の上には、周知のように、うがい水を放出するための噴水管５や該噴水管から放水された水を受けるコップ６が配置されており、うがい時、患者は、該コップ６に噴水管５より注がれた水でうがいし、うがい後の水をスピットン３内に吐き出すようにしている。１１は給排水ボックス４の上部に設けられた凹部で、該凹部１１には、好ましくは、市販のティッシュ箱２０がそのまま収納されるようになっている。患者は、ティッシュペーパを使用したい時は、アシスタントの手を煩わすことなく、該凹部１１に収納されたティッシュ箱２０から自由にティッシュペーパを取り出して使用する。アシスタントは、ティッシュ箱内のティッシュがなくなった時に、ティッシュ箱毎取り換えればよく、簡単かつ衛生的にティッシュ箱の交換を行うことができる。
【０００４】
このティッシュ箱を入れる凹部１１には、好ましくは、カバー（蓋）１２が設けられており、該カバー１２にて凹部１１を覆っておくと、うがい時、スピットン３から飛び散った水滴がティッシュペーパ等にかかることがなく、ティッシュペーパを衛生的に保つことができる。更には、このカバー１２に、ティッシュペーパを取り出すための穴１２ａを設けておくことも可能で、このようにすれば、ティッシュペーパを衛生的に保つことができ、しかも、ティッシュペーパの取り出しも容易に行うことができる。
【０００５】
給排水ボックス４の上部には、使用後のティッシュペーパを捨てるための穴１３が設けられており、患者は、使用後のティッシュペーパを該穴１３内に捨てる。この穴１３の下方には、捨てられたティッシュペーパを受けるためのゴミ箱３０が配置されている。このゴミ箱３０は、図示例の場合、給排水ボックス４の側部に設けられた切り欠き穴４ａを通して出し入れ可能になっており、ゴミ箱３０内にティッシュペーパが溜まった時等、適時に取り出され、溜まったティッシュペーパを捨て、洗浄等がなされ、再度、該切り欠き穴４ａを通して、給排水ボックス４内に配置される。なお、ゴミ箱３０に代って、ティッシュペーパ捨て穴１３に上方から出し入れ可能なゴミ箱４０を設け、該ゴミ箱を穴１３内に配設し、該ゴミ箱４０に捨てられたティッシュペーパが溜まった時に、該穴１３から取り出して溜まったティッシュペーパを捨てるようにしてもよい。
【特許文献１】特開２００７−２６０２３０号公報
【発明の開示】
【発明が解決しようとする課題】
【０００６】
図３に示した例においては、給排水ボックス４に、ティッシュ箱が収納される凹部１１や使用後のティッシュペーパを捨てるゴミ箱穴１３、ゴミ箱３０を出し入れするための切り欠き穴４ａ等を一体的に設けなければならず、給排水ボックスの構造が複雑になり、製作コストが高くなるばかりでなく、清掃等の保守管理が大変であった。
【０００７】
更に、女性の患者等においては、拭いた後の口元が、きれいに払拭されているか、口紅が落ちていないか等気になるところ、従来は、アシスタントが気を利かせて手鏡等を手配してくれているが、忙しい時は、必ずしも、十分に対応することができず、患者に不快な思いをさせることがあった。
【０００８】
本発明は、上述のごとき実情に鑑みてなされたもので、歯科治療において、うがい後の口元を拭くためのティッシュペーパを取り出すことができ、口元を拭いた後のティッシュペーパを容易に捨てることができ、捨てられたティッシュペーパを簡単に始末することができ、かつ、拭いた後の口元を確実に目視することのできる、構造簡単、かつ、安価な歯科用ティッシュボックス収納容器を提供することを目的としてなされたものである。
【課題を解決するための手段】
【０００９】
請求項１の発明は、ティッシュペーパ取り出し穴を有する表面板と、該表面板の裏側に設けられたティッシュボックス収納部とを有し、該ティッシュボックス収納部に収納されたティッシュボックス内のティッシュペーパを前記ティッシュペーパ取り出し穴から取り出すようにしたティッシュボックス収納容器であって、前記表面板は、表面に鏡を着脱自在に装着する装着部を有し、かつ、該表面板の前記ティッシュボックス収納部が設けられていない位置にコップを挿脱自在に挿着可能な開口を有し、うがい後、口元を拭いたティッシュペーパを前記開口に挿着されたコップに廃棄し、拭いた後の口元の清掃状態を前記鏡にて確認するようにしたことを特徴としたものである。
【００１０】
請求項２の発明は、請求項１の発明において、前記開口に挿着されるコップは、紙コップであることを特徴としたものである。
【００１１】
請求項３の発明は、請求項１または２の発明において、前記鏡は磁石によって前記表面板に着脱自在に装着されるものであることを特徴としたものである。
【００１２】
請求項４の発明は、請求項１乃至３のいずれかの発明において、前記表面板に点滅自在の光源を有することを特徴としたものである。
【発明の効果】
【００１３】
歯科治療において、うがい後の口元を拭くためのティッシュペーパを患者自身が自由に取り出すことができ、口元を拭いた後のティッシュペーパを容易に捨てることができ、捨てられたティッシュペーパを簡単に始末することができ、かつ、拭いた後の口元の清掃状態を確実に目視することのできる、構造簡単、かつ、安価な歯科用ティッシュボックス収納容器を提供することができる。
【発明を実施するための最良の形態】
【００１４】
図１は、本発明によるティッシュボックス収納容器１００の一使用状態を説明するための外観図、図２は、本発明によるティッシュボックス収納容器１００に着脱自在に装備されるティッシュボックス１３０、ティッシュペーパ廃棄コップ１４０、手鏡１５０等を取り外した状態を示す分解図で、本発明によるティッシュボックス収納容器１００は、ティッシュペーパ取り出し穴１１１を有する表面板１１０と、該表面板１１０の裏側に設けられたティッシュボックス収納部１２０より成る。
【００１５】
図示例の場合、給排水ボックス４にスピットン載置台５０が矢印方向に回動自在に配設され、このスピットン載置台５０に立設された無影灯支柱６０に、本発明によるティッシュボックス収納容器１００が取り付けられ、歯科治療中、スピットン載置台５０は矢印Ａ方向に回動されており、うがい時、矢印Ｂ方向（患者側）に回動され、患者は、うがいコップ載置部７に載置されたコップ内の水でうがいをする。
【００１６】
図２に示すように、ティッシュボックス１３０は、ティッシュボックス収納部１２０内に上方から挿入され、該ティッシュボックス１３０内のティッシュペーパ１３１が表面板１１０に設けられたティッシュペーパ取り出し穴１１１から取り出される。ティッシュボックス１３０のティッシュペーパ１３１がなくなると、ティッシュボックス収納部１２０の下部に設けられた開口１２２内に下方から指等を差し込んで、ティッシュボックス１３０を上方に持ち上げ、空になったティッシュボックス１３０を上方より取り出すようにしている。
【００１７】
表面板１１０には、ティッシュボックス収納部１２０を設けられていない位置に、穴１１２が設けられており、この穴１１２に、例えば、紙コップ、プラスチックコップ等のコップ１４０が挿脱自在に挿着されるようになっており、歯科治療に先立って、この穴１１２にコップ１４０が挿着される。一人の患者がティッシュペーパを使用する回数は、２〜３回程度であるから、コップ１４０の大きさは、市販されている通常の紙コップの大きさでよく、一人の患者が使用する毎に、廃棄されたティッシュペーパごと紙コップ１４０を取り外して捨てることができ、衛生的に処理することができる。
【００１８】
表面板１１０の下方には、鏡１５０が着脱自在に取り付けられており、患者は、口元を拭いた後の清掃状態を、この鏡１５０で確認することができる。なお、１１４は、表面板１１０に設けられた光源で、この光源１１４は、例えば、スイッチ１１５を押すことで点滅することができ、患者は、必要により、このスイッチ１１５を押すことによって光源１１４を点灯させて、口元を明るくして鏡に映った口元の像をみる。
【００１９】
図示例の場合、本発明によるティッシュボックス収納容器１００は、うがい時、スピットンを引き寄せた時に、一体的に、患者の近くに寄ってくるように取り付けられているため、鏡をみる時、患者は身体をそれ程動かすことなく、自分の顔を鏡１５０に近づけることができるが、お年寄りや身体の不自由な患者にとっては、身体を動かすことが苦痛の場合がある。そのような患者、更には、より詳細に口元をチェックしたい患者は、表面板１１０から鏡１５０を取り外し、鏡１５０を手に持って、該鏡１５０を口元に近づけてみることができる。
【００２０】
なお、以上には、本発明によるティッシュボックス収納容器を、スピットン載置台と一体的に回動する支柱に取り付けた実施例について説明したが、本発明は、図示実施例に限定されるものではなく、うがい時に使用しやすい任意所望の場所に取り付けるように、或いは、単に載置するように改変可能であることは容易に理解できよう。
【図面の簡単な説明】
【００２１】
【図１】本発明によるティッシュボックス収納容器の一使用状態を説明するための外観図である。
【図２】本発明によるティッシュボックス収納容器に着脱自在に装着される部材の装着前の状態を示す分解図である。
【図３】本出願人が先に提案したスピットン装置の一例を説明するための要部概略構成図である。
【符号の説明】
【００２２】
４…給排水ボックス、５０…スピットン載置台、１００…本発明によるティッシュボックス収納容器、１１０…表面板、１１１…ティッシュ取り出し穴、１１２…コップ挿着穴、１１３…鏡取り付け用磁石、１１４…光源、１１５…光源点灯スイッチ、１２０…ティッシュボックス収納部、１３０…ティッシュボックス、１３１…ティッシュペーパ、１４０…コップ、１５０…鏡。
【図１】
0005028689.tif 000002
【図２】
0005028689.tif 000003
【図３】
0005028689.tif 000004